(57)【要約】【課題】  動作すべき記録媒体の種類や状態を一目で識別できるような表示画像を生成する電子機器を提供する。【解決手段】  メモリカード１１１やテープ１１２といった複数の記録媒体を装着可能な複数の記録再生部１０９、１１０と、撮影データまたは再生データを記録再生する記録媒体を選択する操作部１１３と、アクセスする記録媒体ごとに異なる背景画像を生成し、撮影画像または再生画像と該背景画像とを用いて表示画像を生成する画像合成部１０５とを備える。【選択図】  図１
2005223709.tif 000002
【特許請求の範囲】
【請求項１】
複数の記録媒体に対してデータの送受が可能な電子機器において、
前記複数の記録媒体を装着可能な複数の記録再生手段と、
前記複数の記録再生手段のいずれかを介して前記データを送受する記録媒体を選択する選択手段と、
前記選択手段によって選択される記録媒体ごとに異なる背景画像を出力する背景画像生成手段と、
前記背景画像生成手段から出力された背景画像を用いて表示画像を生成する表示画像生成手段とを備えたことを特徴とする電子機器。
【請求項２】
前記背景画像生成手段は、前記選択手段によって選択される記録媒体ごとに色を異ならせた背景画像を出力することを特徴とする請求項１に記載の電子機器。
【請求項３】
前記複数の記録媒体から所望の画像データを選択して再生を指示する再生指示手段を備え、前記記録再生手段は前記再生指示手段によって指示された画像データを再生して再生画像を出力し、前記表示画像生成手段は前記記録再生手段から出力された前記再生画像と前記背景画像生成手段から出力された前記背景画像とを多重して表示画像を生成することを特徴とする請求項１に記載の電子機器。
【請求項４】
画像データの入力手段を備え、前記記録再生手段は前記選択手段で選択された記録媒体に前記入力手段から入力された入力画像データを圧縮符号化した状態で記録するよう動作すると共に、前記表示画像生成手段は前記入力手段から入力された入力画像と前記背景画像生成手段から出力された前記背景画像とを多重して表示画像を生成することを特徴とする請求項１に記載の電子機器。
【請求項５】
画像を撮像する撮像手段と、前記撮像手段で撮像された撮像画像を表示する表示手段とを備え、前記入力手段は前記撮像手段で撮像された撮像データを入力し、前記記録再生手段は前記選択手段で選択された記録媒体に前記撮像データを圧縮符号化した状態で記録するよう動作すると共に、前記表示画像生成手段は前記撮像画像と前記背景画像生成手段から出力された前記背景画像とを多重して表示画像を生成して前記表示手段で表示することを特徴とする請求項４に記載の電子機器。
【請求項６】
前記背景画像生成手段は、前記選択手段によって選択される記録媒体ごとに色を異ならせた、他の画像の周辺に表示される背景画像を出力することを特徴とする請求項３乃至５のいずれか一項に記載の電子機器。
【請求項７】
記録媒体に対してデータの送受が可能な電子機器において、
前記記録媒体を装着可能な記録再生手段と、
前記記録再生手段に装着された記録媒体のステータスを検出するステータス検出手段と、
前記ステータス検出手段で検出したステータスに応じて異なる背景画像を出力する背景画像生成手段と、
前記背景画像生成手段から出力された背景画像を用いて表示画像を生成する表示画像生成手段とを備えたことを特徴とする電子機器。
【請求項８】
前記背景画像生成手段は、前記ステータスに応じて色を異ならせた背景画像を出力することを特徴とする請求項７に記載の電子機器。
【請求項９】
前記ステータス検出手段は前記記録媒体の記録可否の状態を検出することを特徴とする請求項７に記載の電子機器。
【請求項１０】
前記ステータス検出手段は前記記録媒体の記録禁止スイッチの状態を検出することを特徴とする請求項７に記載の電子機器。
【発明の詳細な説明】
【技術分野】
【０００１】
本発明は装着した記録媒体に画像データ等を記録または再生可能な電子機器に関するものである。
【背景技術】
【０００２】
近年、カメラ一体型デジタルＶＴＲは、撮影画像を記録する記録媒体として磁気テープのほかにメモリカードを具備したものが一般的となっている（例えば、特許文献１参照。）。このようなカメラ一体型デジタルＶＴＲは、ユーザによる選択操作に応じて動作モードを決定し、磁気テープとメモリカードといった複数の記録媒体のうちいずれかを用いて記録・再生動作を行わせる構成になっているものが主流となっている。また、カメラ一体型デジタルＶＴＲで用いる記録媒体である磁気テープには誤消去防止ツメがあり、メモリカードにも誤消去防止スイッチを具備しているものがある。
【特許文献１】特開平１１−４４０９号公報
【発明の開示】
【発明が解決しようとする課題】
【０００３】
しかしながら、従来の技術では、ユーザ設定によって動作モードが設定されている状況であっても、撮影に集中して液晶表示モニタを注視していると、現在の動作モードが何であったかを忘れたり、勘違いしてしまうことがあったりした。または、現在表示中の画像はどの記録媒体から再生されたものであるかとか、どの記録媒体に記録されるものなのかとか、表示画面を見ているだけでは判別し難いという問題があった。その結果、再生時には意図しない記録媒体に対して再生動作を行ってしまう誤再生が生じることがあった。さらに、撮影時には意図しない記録媒体へ撮影画像を記録してしまう可能性があり、誤ったほうの記録媒体の誤消去防止ツメ或いはスイッチの状態によっては、貴重な保存データが上書きされてしまうことがあった。
【０００４】
本発明はこのような従来技術の問題点に鑑みてなされたものであり、その主な目的は、動作すべき記録媒体の種類や状態を一目で識別できるような表示画像を生成する電子機器を提供することにある。
【課題を解決するための手段】
【０００５】
上記課題を解決するために本発明は複数の記録媒体に対してデータの送受が可能な電子機器において、前記複数の記録媒体を装着可能な複数の記録再生手段と、前記複数の記録再生手段のいずれかを介して前記データを送受する記録媒体を選択する選択手段と、前記選択手段によって選択される記録媒体ごとに異なる背景画像を出力する背景画像生成手段と、前記背景画像生成手段から出力された背景画像を用いて表示画像を生成する表示画像生成手段とを備えたことを特徴とする。
【発明の効果】
【０００６】
本発明によれば、アクセスする記録媒体に応じて表示出力の背景画像を変更することで、アイコンや文字といったキャラクタを表示することなく、選択されている記録媒体をユーザが直感的に識別することが可能になる。
【発明を実施するための最良の形態】
【０００７】
以下、図面を参照しながら本発明の好適な実施の形態を説明する。
【０００８】
＜第１の実施形態＞
図１は本発明に関する電子機器の一例であるカメラ一体型記録再生装置（ビデオカメラ）のブロック構成図である。１０１はレンズ群や受像素子であるＣＣＤやＣＭＯＳを含む撮像部、１０２は撮像部１０１からの入力信号を画像データに変換するカメラ信号処理部、１０３はビデオカメラ全体を制御するマイクロコンピュータ等の演算部（ＣＰＵ）、１０４は液晶パネルディスプレイ（ＬＣＤ）、１０５はＯＳＤデータや背景画像を生成する機能を備え、画像データと、メニュー表示や背景画像とを多重化して表示画像を構成する合成部、１０６は外部モニタ（不図示）等の外部機器と接続し画像データを入出力する為の外部入出力部（外部Ｉ／Ｏ）、１０７は画像データを一時的に保持するための画像メモリ、１０８は非圧縮の画像データを所定の圧縮フォーマットに従い圧縮し、圧縮済の画像データを同圧縮フォーマットに従い伸張する圧縮伸張部、１０９はメモリカード１１１とのインタフェースであるＣａｒｄ  Ｉ／Ｏ、１１０はテープ１１２のインタフェースであるＴａｐｅ  Ｉ／Ｏ、１１１は圧縮済の動画像データ及び静止画像データを記録するメモリカード、１１２は圧縮済の動画像データ及び静止画像データを記録するテープ、１１３はユーザが各種指示入力を行う操作部である。なお、メモリカード１１１、テープ１１２はそれぞれＣａｒｄ  Ｉ／Ｏ１０９、Ｔａｐｅ  Ｉ／Ｏ１１０を介して、ビデオカメラ本体に装着／取外し可能な構成である。以上が図１のビデオカメラの構成である。
【０００９】
続いて、図１のビデオカメラの動作について説明する。
【００１０】
動作モードの指定、アクセスする記録媒体の指定、記録・再生動作の開始・停止指示、データの選択等の各種操作は操作部１１３から行い、各動作制御はＣＰＵ１０３が行う。
【００１１】
テープ１１２にアクセスするテープ記録モード時は、撮像部１０１から取り込まれた被写体像をカメラ信号処理部１０２を介して画像メモリ１０７に保持し、圧縮伸張部１０８によって圧縮されたデータをＴａｐｅ  Ｉ／Ｏ１１０からテープ１１２に記録する。
【００１２】
メモリカード１１１にアクセスするカード記録モード時は、テープ記録モード時と同様な撮像、信号処理を行いＣａｒｄ  Ｉ／Ｏ１０９からメモリカード１１１に記録する。
【００１３】
また、テープ記録モード時、カード記録モード時ともに撮影画像をＬＣＤ１０４でモニタ可能であり、また撮影画像を外部Ｉ／Ｏ１０６からリアルタイムに出力している。
【００１４】
一方、テープ１１２にアクセスするテープ再生モード時は、テープ１１２からＴａｐｅ  Ｉ／Ｏ１１０を介して圧縮されている画像データを画像メモリ１０７へ読み込み、圧縮伸張部１０８によって伸張され、再生画像をＬＣＤ１０４でモニタ可能であり、また再生画像を外部Ｉ／Ｏ１０６から出力する。
【００１５】
メモリカード１１１にアクセスするカード再生モード時は、カード１１１からＣａｒｄ  Ｉ／Ｏ１０９を介して圧縮されている画像データを読み込み、テープ再生モード時と同様な再生処理を行って、再生画像をＬＣＤ１０４でモニタ可能であり、また再生画像を外部Ｉ／Ｏ１０６から出力する。
【００１６】
ここで、テープ再生モード時及びカード再生モード時に、再生画像をＬＣＤ１０４に表示する処理については、次のとおりとする。画像メモリ１０７に書き込まれた圧縮された再生データを、圧縮伸張部１０８で伸張した上で、合成部１０５で生成した所定の背景画像と合成処理した後に、ＬＣＤ１０４に表示するようにする。なお、外部Ｉ／Ｏ１０６から出力する再生画像は、所定の背景画像と合成処理を行わずにそのまま出力する様にしても良い。なお、アクセスする記録媒体に応じて背景色が異なる背景画像は合成部１０５内で生成される。
【００１７】
図２はこのときのＬＣＤの表示形態を表わした図である。テープ再生モード時は青色の背景画像を常時表示するものとし、例えばテープ再生モードにおける起動時やモード移行した直後の表示画面はこの青色背景画像のみ、又は青色背景画像とメニュー等のＯＳＤ画像のみから構成される。この状態から、テープ再生動作が実行されると、表示画面はテープから再生された再生画像と前記青色背景画像とが図のように多重されて表示されるようになる。これによって、ユーザは青色から直感的に現在テープ再生モードにあることが認識できる。
【００１８】
また、カード再生モード時は灰色の背景画像を常時表示するものとし、例えばカード再生モードにおける起動時やモード移行した直後の表示画面はこの灰色背景画像のみ、又は灰色背景画像とメニュー等のＯＳＤ画像のみから構成される。この状態から、カード再生動作が実行されると、表示画面はカードから再生された再生画像と前記灰色背景画像とが図のように多重されて表示されるようになる。これによって、ユーザは灰色から直感的に現在カード再生モードにあることが認識できる。
【００１９】
次にＣＰＵ１０３が制御して行うこのような動作のフローを、図３のフローチャートを用いて説明する。図３は、図２で説明したアクセスする記録媒体に応じてＬＣＤ１０４に表示する背景画像を変更する場合のフローチャートである。
【００２０】
まず、アクセスする記録媒体がテープか判断する（ステップＳ３０１）。ステップＳ３０１での判断がＹｅｓ、すなわちテープにアクセスするテープ再生モードならば背景色を“青色”に設定する（ステップＳ３０２）。ステップＳ３０１での判断がＮｏ、すなわちメモリカードにアクセスするカード再生モードならば背景色を“灰色”に設定する（ステップＳ３０３）。ステップＳ３０２、ステップＳ３０３での処理を実行すると、合成部１０５は設定された背景色と圧縮伸張部１０８で伸張された再生画像とを合成し、ＬＣＤ１０４から表示出力する（ステップＳ３０４）。次にステップＳ３０１で判断した記録媒体からアクセスする記録媒体が変更されたか判断する（ステップＳ３０５）。ＹｅｓならばステップＳ３０１へ戻り繰り返し、ＮｏならばステップＳ３０４へ戻り繰り返す。以上が図３のフローチャートの説明である。
【００２１】
また、上記した説明では、テープ再生モード時及びカード再生モード時に背景画像を合成する構成について説明したが、テープ記録モード時及びカード記録モード時についても、同様の構成が実現できるので、引き続き説明する。
【００２２】
テープ記録モード時及びカード記録モード時に、撮影画像をＬＣＤ１０４に表示する処理については、次のとおりとする。画像メモリ１０７に書き込まれた撮影画像データを、合成部１０５で所定の背景画像と合成処理した後に、ＬＣＤ１０４に表示するようにする。なお、外部Ｉ／Ｏ１０６から出力する撮影画像は、所定の背景画像と合成処理を行わずにそのまま出力する様にしても良い。
【００２３】
図４は、テープ記録モード、カード記録モードにおけるそれぞれの表示の様子である。テープ記録モード時は青色の背景画像を常時表示するものとし、表示画面は撮影画像と前記青色背景画像とが図のように多重されて表示されるようになる。これによって、ユーザは青色から直感的に現在テープ記録モードにあることが認識できる。同様に、カード記録モード時は灰色の背景画像を常時表示するものとし、表示画面は撮影画像と前記灰色背景画像とが図のように多重されて表示されるようになる。これによって、ユーザは灰色から直感的に現在カード記録モードにあることが認識できる。
【００２４】
以上、本実施形態では常に表示画像に背景画像を合成して出力したが、エラー表示、複数インデックス表示など背景画像を必要とする場合にのみ合成処理を行っても良い。
【００２５】
また、本実施形態ではテープの記録／再生モードと、カードの記録／再生モードについて説明したが、本発明のこのような構成に限定されず、例えば図７のように複数個の同じ種類の記録媒体を識別する際にも用いることができる。
【００２６】
図７は図１のビデオカメラの構成において、メモリカード１１１、Ｃａｒｄ  Ｉ／Ｏ１０９、テープ１１２及びＴａｐｅ  Ｉ／Ｏ１１０に替えて、Ｃａｒｄ  Ｉ／Ｏ（ａ）１１４とメモリカード１１５、Ｃａｒｄ  Ｉ／Ｏ（ｂ）１１６とメモリカード１１７を備えた変形例である。このように同じ種類の記録媒体を複数備えた場合であっても、上記したように背景画像を合成処理し、記録媒体ごとにその色を変更することによって、ユーザはアクセスする記録媒体の識別が容易に行える。
【００２７】
さらに、本実施形態では２種類の記録媒体（テープとカード）について説明したが、ディスク、内蔵フラッシュメモリ等の新たな記録媒体が追加され３種類以上の記録媒体にアクセス可能な電子機器においては、記録媒体の種類に応じて背景画像の色を変更しても良い。
【００２８】
以上、本実施形態によれば表示画面を見るだけでユーザは容易にアクセスする記録媒体の識別が行える。
【００２９】
＜第２の実施形態＞
続いて、本発明の第２の実施形態として、図１のビデオカメラに装着する記録媒体の誤消去防止プロテクト等のステータスに応じて、表示画像に含まれる背景画像の色を変更する構成について説明する。図６は、例として記録媒体の一つであるメモリカードのプロテクト（誤消去防止ツマミ）状態に応じてＬＣＤ１０４に表示する画像の背景画像の色を変更する場合のイメージ図である。なお、プロテクトの状態に応じて背景色が異なる背景画像は合成部１０５内で生成され、撮影画像又は再生画像と同合成部１０５で合成される。
【００３０】
カード記録モードを例にした場合、図６において、メモリカード１１１のプロテクト状態が無効（書込み許可）状態にある場合は、プロテクト無効状態を示す背景画像（背景色：灰色）と、撮像部１０１及びカメラ信号処理部１０２から得られた撮影画像とを合成部１０５で合成し、ＬＣＤ１０４で表示する。一方、メモリカード１１１のプロテクト状態が有効（書込み禁止）状態にある場合は、プロテクト有効状態を示す背景画像（背景色：赤色）と、撮像部１０１及びカメラ信号処理部１０２から得られた撮影画像とを合成部１０５で合成し、ＬＣＤ１０４で表示する。
【００３１】
また、カード再生モードを例にした場合、図６において、メモリカード１１１のプロテクト状態が無効（書込み許可）状態にある場合は、プロテクト無効状態を示す背景画像（背景色：灰色）と、メモリカード１１１から読み出されＣａｒｄ  Ｉ／Ｏ１０９及び圧縮伸張部１０８を介して伸張して得られた再生画像とを、合成部１０５で合成し、ＬＣＤ１０４で表示する。一方、メモリカード１１１のプロテクト状態が有効（書込み禁止）状態にある場合は、プロテクト有効状態を示す背景画像（背景色：赤色）と、メモリカード１１１から読み出されＣａｒｄ  Ｉ／Ｏ１０９及び圧縮伸張部１０８を介して伸張して得られた再生画像とを、合成部１０５で合成し、ＬＣＤ１０４で表示する。
【００３２】
次にＣＰＵ１０３が制御して行うこのような動作のフローを、図５のフローチャートを用いて説明する。図５は、図６で説明した記録媒体のプロテクト・ステータスに応じてＬＣＤ１０４に表示する背景画像を変更する場合のフローチャートである。
【００３３】
図５において、まず、アクセスする記録媒体の誤消去防止ツマミの位置等に基づき、記録媒体のステータスがプロテクト設定されているものかどうか判断する（ステップＳ５０１）。ステップＳ５０１での判断がＹｅｓ、すなわちプロテクトされているならば背景色を“赤色”に設定する（ステップＳ５０２）。ステップＳ５０１での判断がＮｏ、すなわちプロテクトされていないならば背景色を“灰色”に設定する（ステップＳ５０３）。ステップＳ５０２、ステップＳ５０３での処理を実行すると、合成部１０５は設定された背景色と撮像画像或いは再生画像とを合成し、ＬＣＤ１０４から表示出力する（ステップＳ５０４）。次にステップＳ５０１で判断した記録媒体からアクセスする記録媒体が変更されたか判断する（ステップＳ５０５）。ＹｅｓならばステップＳ５０１へ戻り繰り返し、ＮｏならばステップＳ５０４へ戻り繰り返す。以上が図５のフローチャートの説明である。
【００３４】
以上、本実施形態によれば表示画面を見るだけでユーザは記録媒体のステータスの識別が行える。
【００３５】
なお、本発明の実施形態１及び実施形態２において、ＬＣＤ１０４に表示出力する画像に関して合成部１０５で背景画像の合成処理を行うように説明したが、ＬＣＤ１０４と外部Ｉ／Ｏ１０６の両方、又はいずれか片方にのみ合成処理を行い出力するようにしても良い。
【００３６】
また、本発明の実施形態１及び実施形態２において、表示する背景画像は特定色を用いて説明したが、色はユーザの任意で設定できるような構成にしても良い。
【００３７】
また、本発明は上記実施の形態を実現するための装置及び方法のみに限定されるものではなく、上記システム又は装置内のコンピュータ（ＣＰＵ或いはＭＰＵ）に、上記実施の形態を実現するためのソフトウエアのプログラムコードを供給し、このプログラムコードに従って上記システム或いは装置のコンピュータが上記各種デバイスを動作させることにより上記実施の形態を実現する場合も本発明の範疇に含まれる。
【００３８】
またこの場合、前記ソフトウエアのプログラムコード自体が上記実施の形態の機能を実現することになり、そのプログラムコード自体、及びそのプログラムコードをコンピュータに供給するための手段、具体的には上記プログラムコードを格納した記憶媒体は本発明の範疇に含まれる。
【００３９】
この様なプログラムコードを格納する記憶媒体としては、例えばフロッピー（登録商標）ディスク、ハードディスク、光ディスク、光磁気ディスク、ＣＤ−ＲＯＭ、ＤＶＤ、磁気テープ、不揮発性のメモリカード、ＲＯＭ等を用いることができる。
【００４０】
また、上記コンピュータが、供給されたプログラムコードのみに従って各種デバイスを制御することにより、上記実施の形態の機能が実現される場合だけではなく、上記プログラムコードがコンピュータ上で稼働しているＯＳ（オペレーティングシステム）、或いは他のアプリケーションソフト等と共同して上記実施の形態が実現される場合にもかかるプログラムコードは本発明の範疇に含まれる。
【００４１】
更に、この供給されたプログラムコードが、コンピュータの機能拡張ボードやコンピュータに接続された機能拡張ユニットに備わるメモリに格納された後、そのプログラムコードの指示に基づいてその機能拡張ボードや機能格納ユニットに備わるＣＰＵ等が実際の処理の一部または全部を行い、その処理によって上記実施の形態が実現される場合も本発明の範疇に含まれる。
【図面の簡単な説明】
【００４２】
【図１】本発明の実施形態であるビデオカメラのブロック構成図である。
【図２】本発明の実施形態１に係るビデオカメラにおいて、再生モード時にアクセスする記録媒体に応じて背景色を変更する場合のイメージ図である。
【図３】本発明の実施形態１に係るビデオカメラにおいて、アクセスする記録媒体に応じて背景色を変更する場合のフローチャートである。
【図４】本発明の実施形態１に係るビデオカメラにおいて、記録モード時にアクセスする記録媒体に応じて背景色を変更する場合のイメージ図である。
【図５】本発明の実施形態２に係るビデオカメラにおいて、アクセスする記録媒体のステータスに応じて背景色を変更する場合のフローチャートである。
【図６】本発明の実施形態２に係るビデオカメラにおいて、記録媒体のプロテクト状態に応じて背景色を変更する場合のイメージ図である。
【図７】本発明の実施形態１に係るビデオカメラの変形例を示したブロック構成図である。
【図１】
2005223709.tif 000003
【図２】
2005223709.tif 000004
【図３】
2005223709.tif 000005
【図４】
2005223709.tif 000006
【図５】
2005223709.tif 000007
【図６】
2005223709.tif 000008
【図７】
2005223709.tif 000009